(57)【要約】【課題】居住者又は来客者が玄関にいることを住戸内の居住者に音声で通知する。【解決手段】住戸外に設置される玄関機１に設けられた入力部５０が入力情報を取得すると、認証部５２は、識別情報記憶部５１の識別情報対応テーブル６０を用いて、入力部５０で取得された入力情報に対応付けられた個人識別情報を特定する。認証部５２で特定された個人識別情報は決定部５４に出力され、決定部５４は、出力内容記憶部５３の出力内容対応テーブル６１を用いて、認証部５２から入力された個人識別情報に対応付けられたテキストデータを決定する。決定部５４で決定されたテキストデータは音声に変換されて、宅内インターホン２に設けられた出力部５５から出力される。【選択図】図１
2009213086.tif 000002
【特許請求の範囲】
【請求項１】
住戸外に設置される玄関機と、住戸内に設置され前記玄関機との間での通話を可能とする宅内インターホンとを備えるインターホンシステムであって、
前記玄関機に設けられ、入力情報を取得する入力手段と、
前記入力手段で取得された前記入力情報から、個人ごとに与えられる個人識別情報を特定する認証手段と、
前記個人識別情報に、音声出力させるための出力内容を対応付けて記憶する記憶手段と、
前記記憶手段の記憶内容を用いて、前記認証手段で特定された前記個人識別情報に対応付けられた前記出力内容を決定する決定手段と、
前記宅内インターホンに設けられ、前記決定手段で決定された前記出力内容を音声に変換して出力する出力手段と
を備えることを特徴とするインターホンシステム。
【請求項２】
個別に機器識別情報を有する前記玄関機を複数備え、
前記記憶手段は、前記機器識別情報ごとに前記個人識別情報に前記出力内容を対応付けて記憶し、
前記決定手段は、前記記憶手段の記憶内容を用いて、前記機器識別情報及び前記認証手段で特定された前記個人識別情報に対応付けられた前記出力内容を決定する
ことを特徴とする請求項１記載のインターホンシステム。
【請求項３】
前記記憶手段は、時間帯ごとに前記個人識別情報に前記出力内容を対応付けて記憶し、
前記決定手段は、前記記憶手段の記憶内容を用いて、前記時間帯及び前記認証手段で特定された前記個人識別情報に対応付けられた前記出力内容を決定する
ことを特徴とする請求項１記載のインターホンシステム。
【請求項４】
前記記憶手段は、前記個人識別情報にテキストデータを対応付けて記憶し、
前記決定手段は、前記記憶手段の記憶内容を用いて、前記認証手段で特定された前記個人識別情報に対応付けられた前記テキストデータを決定し、
前記出力手段は、前記決定手段で決定された前記テキストデータを音声に変換して出力する
ことを特徴とする請求項１乃至３の何れか１項に記載のインターホンシステム。
【請求項５】
前記記憶手段は、テキストデータの言語解析処理によって生成される中間表現ファイルを識別するための識別子を前記個人識別情報に対応付けて記憶するとともに、前記識別子に前記中間表現ファイルを対応付けて記憶し、
前記決定手段は、前記記憶手段の記憶内容を用いて、前記認証手段で特定された前記個人識別情報に対応付けられた前記識別子を選択し、選択した識別子の前記中間表現ファイルを決定し、
前記出力手段は、前記決定手段で決定された前記中間表現ファイルを音声に変換して出力する
ことを特徴とする請求項１乃至３の何れか１項に記載のインターホンシステム。
【請求項６】
前記記憶手段は、合成音声ファイルを識別するための識別子を前記個人識別情報に対応付けて記憶するとともに、前記識別子に前記合成音声ファイルを対応付けて記憶し、
前記決定手段は、前記記憶手段の記憶内容を用いて、前記認証手段で特定された前記個人識別情報に対応付けられた前記識別子を選択し、選択した識別子の前記合成音声ファイルを決定し、
前記出力手段は、前記決定手段で決定された前記合成音声ファイルを音声に変換して出力する
ことを特徴とする請求項１乃至３の何れか１項に記載のインターホンシステム。
【請求項７】
前記認証手段を有するサーバを備え、
前記宅内インターホンが、前記記憶手段、前記決定手段及び前記出力手段を有する
ことを特徴とする請求項１乃至６の何れか１項に記載のインターホンシステム。
【請求項８】
前記記憶手段に記憶されている前記個人識別情報及び前記出力内容を変更するための変更手段を備えることを特徴とする請求項１乃至７の何れか１項に記載のインターホンシステム。
【発明の詳細な説明】
【技術分野】
【０００１】
本発明は、インターホンシステムに関するものである。
【背景技術】
【０００２】
従来のインターホンシステムとして、特許文献１には、集合玄関に設置される玄関機（集合玄関機）と、各住戸に設置される宅内インターホンとを備えるインターホンシステムが開示されている。従来のインターホンシステムは、玄関機に接近した人に対してメッセージを表示する。例えば、各住戸の居住者が帰宅して玄関機に接近すると、その居住者向けのメッセージを玄関機が表示する。また、来客者が訪問して玄関機に接近すると、来客者向けのメッセージを玄関機が表示する。
【特許文献１】特開２００４−３０４５５７号公報
【発明の開示】
【発明が解決しようとする課題】
【０００３】
しかしながら、従来のインターホンシステムには、玄関機に接近した人（居住者又は来客者）に対して、その人に対応するメッセージを玄関機に表示することができるものの、玄関機に人が接近したときに住戸内の居住者に音声で通知することができないという問題があった。
【０００４】
本発明は上記の点に鑑みて為されたものであり、その目的は、居住者又は来客者が玄関にいることを住戸内の居住者に音声で通知することができるインターホンシステムを提供することにある。
【課題を解決するための手段】
【０００５】
請求項１の発明は、住戸外に設置される玄関機と、住戸内に設置され前記玄関機との間での通話を可能とする宅内インターホンとを備えるインターホンシステムであって、前記玄関機に設けられ、入力情報を取得する入力手段と、前記入力手段で取得された前記入力情報から、個人ごとに与えられる個人識別情報を特定する認証手段と、前記個人識別情報に、音声出力させるための出力内容を対応付けて記憶する記憶手段と、前記記憶手段の記憶内容を用いて、前記認証手段で特定された前記個人識別情報に対応付けられた前記出力内容を決定する決定手段と、前記宅内インターホンに設けられ、前記決定手段で決定された前記出力内容を音声に変換して出力する出力手段とを備えることを特徴とする。
【０００６】
請求項２の発明は、請求項１の発明において、個別に機器識別情報を有する前記玄関機を複数備え、前記記憶手段は、前記機器識別情報ごとに前記個人識別情報に前記出力内容を対応付けて記憶し、前記決定手段は、前記記憶手段の記憶内容を用いて、前記機器識別情報及び前記認証手段で特定された前記個人識別情報に対応付けられた前記出力内容を決定することを特徴とする。
【０００７】
請求項３の発明は、請求項１の発明において、前記記憶手段は、時間帯ごとに前記個人識別情報に前記出力内容を対応付けて記憶し、前記決定手段は、前記記憶手段の記憶内容を用いて、前記時間帯及び前記認証手段で特定された前記個人識別情報に対応付けられた前記出力内容を決定することを特徴とする。
【０００８】
請求項４の発明は、請求項１乃至３の何れか１項の発明において、前記記憶手段は、前記個人識別情報にテキストデータを対応付けて記憶し、前記決定手段は、前記記憶手段の記憶内容を用いて、前記認証手段で特定された前記個人識別情報に対応付けられた前記テキストデータを決定し、前記出力手段は、前記決定手段で決定された前記テキストデータを音声に変換して出力することを特徴とする。
【０００９】
請求項５の発明は、請求項１乃至３の何れか１項の発明において、前記記憶手段は、テキストデータの言語解析処理によって生成される中間表現ファイルを識別するための識別子を前記個人識別情報に対応付けて記憶するとともに、前記識別子に前記中間表現ファイルを対応付けて記憶し、前記決定手段は、前記記憶手段の記憶内容を用いて、前記認証手段で特定された前記個人識別情報に対応付けられた前記識別子を選択し、選択した識別子の前記中間表現ファイルを決定し、前記出力手段は、前記決定手段で決定された前記中間表現ファイルを音声に変換して出力することを特徴とする。
【００１０】
中間表現ファイルとは、テキストデータの言語解析処理により得られた情報をファイル化したものをいう。この中間表現ファイルには、テキストデータの言語解析処理によって生成された読み情報やアクセント位置情報、各単語の品詞情報、モーラ数、前後の単語情報が含まれている。前後の単語情報としては、品詞情報やモーラ数、アクセント位置情報などがある。モーラとは、１カナに相応する長さを表わす単位をいう。ただし、拗音（「きゃ」、「きゅ」、「きょ」など）や促音「っ」、長音は、それ自体で１つのモーラとしてカウントされる。
【００１１】
請求項６の発明は、請求項１乃至３の何れか１項の発明において、前記記憶手段は、合成音声ファイルを識別するための識別子を前記個人識別情報に対応付けて記憶するとともに、前記識別子に前記合成音声ファイルを対応付けて記憶し、前記決定手段は、前記記憶手段の記憶内容を用いて、前記認証手段で特定された前記個人識別情報に対応付けられた前記識別子を選択し、選択した識別子の前記合成音声ファイルを決定し、前記出力手段は、前記決定手段で決定された前記合成音声ファイルを音声に変換して出力することを特徴とする。
【００１２】
合成音声ファイルとは、合成音声波形の情報をファイル化したものをいう。
【００１３】
請求項７の発明は、請求項１乃至６の何れか１項の発明において、前記認証手段を有するサーバを備え、前記宅内インターホンが、前記記憶手段、前記決定手段及び前記出力手段を有することを特徴とする。
【００１４】
請求項８の発明は、請求項１乃至７の何れか１項の発明において、前記記憶手段に記憶されている前記個人識別情報及び前記出力内容を変更するための変更手段を備えることを特徴とする。
【発明の効果】
【００１５】
請求項１の発明によれば、玄関機の前にいる人の個人識別情報を認証手段で特定し、特定した個人識別情報に対応付けられた出力内容に基づいて宅内インターホンの出力手段から音声出力することによって、例えば誰が来客したか又は誰が帰宅したかなどのメッセージを住戸内の居住者に音声で通知することができる。
【００１６】
請求項２の発明によれば、入力情報を取得した玄関機によって出力内容を変えることができるので、玄関機ごとに異なるメッセージを住戸内の居住者に音声で通知することができる。
【００１７】
請求項３の発明によれば、入力情報を取得した時間帯によって出力内容を変えることができるので、時間帯ごとに異なるメッセージを住戸内の居住者に音声で通知することができる。
【００１８】
請求項４の発明によれば、出力内容としてテキストデータを記憶手段に記憶することによって、出力内容として例えば合成音声ファイルを記憶する場合に比べて、記憶手段として記憶容量の小さいものを用いることができる。
【００１９】
請求項５の発明によれば、音声合成処理のうちテキストデータの言語解析処理を予め行って中間表現ファイルを作成することによって、認証手段で個人識別情報を特定した後に、テキストデータの言語解析処理を行う必要がないので、イベント発生時における処理負荷を軽減することができる。
【００２０】
請求項６の発明によれば、音声合成処理を予め行って合成音声ファイルを作成することによって、認証手段で個人識別情報を特定した後に、音声合成処理を行う必要がないので、イベント発生時における処理負荷を軽減することができる。
【００２１】
請求項７の発明によれば、個人識別情報をサーバで管理することによって、各住戸内の宅内インターホンの負担を軽減することができる。また、管理者（管理会社）が個人識別情報をサーバで一元管理することができるので、個人識別情報を各住戸内の宅内インターホンで管理する場合に比べて、個人識別情報の更新や追加などのメンテナンスを管理者が効率よく行うことができる。さらに、個人識別情報を各住戸内の宅内インターホンに記憶させる場合に比べて、セキュリティの点で安全である。
【００２２】
請求項８の発明によれば、ユーザが変更手段を操作することによって、ユーザが個人識別情報や出力内容を自由に変更することができる。
【発明を実施するための最良の形態】
【００２３】
（実施形態１）
まず、実施形態１の構成について図１〜４を用いて説明する。本実施形態のインターホンシステムは、図２に示すように、住戸外に設置される玄関機１ａと、住戸内Ｂに設置され玄関機１ａとの間での通話を可能とする宅内インターホン２とを備えている。また、玄関機１ａと宅内インターホン２との間には、警報監視盤３が設けられている。さらに、警報監視盤３は、広域網ＮＴを介してセンターサーバ４に接続されている。
【００２４】
続いて、玄関機１（１ａ）の構成について図１を用いて説明する。玄関機１は、集合住宅Ａの共同玄関Ｃ（図２参照）に設置されるものであり、入力情報を取得する入力部（入力手段）５０を備えている。入力部５０は、接触式又は非接触式のＩＣカードを読み取るカードリーダや、顔画像を読み取る撮像機器である。入力情報とは、ＩＣカードに記憶されている個人情報や、撮像機器で撮像される顔画像情報などをいう。入力部５０で取得された入力情報は、広域網ＮＴを介して玄関機１からセンターサーバ４に送信される。
【００２５】
続いて、センターサーバ４について説明する。センターサーバ４は、入力情報に個人識別情報を対応付けた識別情報対応テーブル６０（図３参照）が記憶される識別情報記憶部５１と、識別情報記憶部５１の識別情報対応テーブル６０を用いて、入力部５０からの入力情報から個人識別情報を特定する認証部５２とを備えている。個人識別情報とは、個人を特定するために個人ごとに与えられる情報をいう。認証部５２で特定された個人識別情報は、広域網ＮＴを介してセンターサーバ４から宅内インターホン２に送信される。なお、本実施形態では、センターサーバ４が、本発明のサーバとなる。また、識別情報記憶部５１と認証部５２とで、本発明の認証手段を構成する。
【００２６】
続いて、宅内インターホン２の構成について説明する。宅内インターホン２は、集合住宅Ａの各住戸内Ｂ（図２参照）に設置されるものであり、個人識別情報に、音声出力させるための出力内容を対応付けた出力内容対応テーブル６１（図４参照）が記憶される出力内容記憶部（記憶手段）５３と、出力内容記憶部５３から、認証部５２で特定された個人識別情報に対応付けられた出力内容を決定する決定部（決定手段）５４と、決定部５４で決定された出力内容を音声出力する出力部（出力手段）５５とを備えている。
【００２７】
本実施形態では、出力内容記憶部５３には、出力内容としてテキストデータが記憶されている。テキストデータとしては、仮名のみのテキストデータであってもよいし、漢字と仮名が含まれた漢字かな混じりテキストデータであってもよい。
【００２８】
決定部５４は、認証部５２で特定された個人識別情報をセンターサーバ４から受信し、出力内容記憶部５３の出力内容対応テーブル６１を用いて、受信した個人識別情報に対応付けられたテキストデータを決定する。テキストデータを決定した決定部５４は、決定したテキストデータの言語解析処理を行って中間表現ファイルを作成する。中間表現ファイルを作成した決定部５４は、作成した中間表現ファイルを出力部５５に出力する。
【００２９】
出力部５５は、決定部５４からの中間表現ファイルを用いて合成音声波形を作成し、作成した音声合成波形を音声に変換して出力する。
【００３０】
ここで、テキストデータから合成音声波形を作成するための音声合成処理について説明する。音声合成処理は、言語解析処理と音響生成処理とからなる。言語解析処理では、入力されたテキストデータを言語解析し、読み情報やアクセント位置情報などを決定する。このテキストデータの言語解析処理により得られた情報をファイル化したものを中間表現ファイルという。中間表現ファイルには、テキストデータの言語解析処理によって生成された読み情報やアクセント位置情報、各単語の品詞情報、モーラ数、前後の単語情報が含まれている。前後の単語情報としては、品詞情報やモーラ数、アクセント位置情報などがある。モーラとは、１カナに相応する長さを表わす単位をいう。ただし、拗音（「きゃ」、「きゅ」、「きょ」など）や促音「っ」、長音は、それ自体で１つのモーラとしてカウントされる。音響生成処理では、言語解析処理より得られた情報つまり中間表現ファイルから合成音声波形を作成する。
【００３１】
以上、本実施形態によれば、玄関機１の前にいる人の個人識別情報を認証部５２で特定し、特定した個人識別情報に対応付けられた出力内容に基づいて宅内インターホン２の出力部５５から音声出力することによって、例えば誰が来客したか又は誰が帰宅したかなどのメッセージを住戸内Ｂの居住者に音声で通知することができる。
【００３２】
また、出力内容としてテキストデータを出力内容記憶部５３に記憶することによって、出力内容として例えば合成音声ファイルを記憶する場合に比べて、出力内容記憶部５３として記憶容量の小さいものを用いることができる。
【００３３】
さらに、個人識別情報をセンターサーバ４で管理することによって、各住戸内Ｂの宅内インターホン２の負荷を軽減することができる。また、管理者（管理会社）が個人識別情報をセンターサーバ４で一元管理することができるので、個人識別情報を各住戸内Ｂの宅内インターホン２で管理する場合に比べて、個人識別情報の更新や追加などのメンテナンスを管理者が効率よく行うことができる。さらに、個人識別情報を各住戸内Ｂの宅内インターホン２に記憶させる場合に比べて、セキュリティの点で安全である。
【００３４】
（実施形態２）
実施形態２のインターホンシステムは、図５に示すように、個別に機器識別情報を有する玄関機１ａ，１ｂを複数備えている点で、実施形態１のインターホンシステムと相違している。玄関機１ａ，１ｂを複数備える場合とは、図２に示すように、例えば１台の玄関機１ａが集合住宅Ａの共同玄関Ｃに設置され、他の１台の玄関機１ｂが戸別玄関に設置されている場合である。なお、実施形態１と同様の構成要素については、同一の符号を付して説明を省略する。
【００３５】
本実施形態の出力内容記憶部５３には、図６に示すように、機器識別情報ごとに個人識別情報に出力内容を対応付けた出力内容対応テーブル６１ａが記憶されている。機器識別情報とは、各玄関機１ａ，１ｂそのものに与えられる識別情報であってもよいし、例えば玄関機１ａ，１ｂごとに人感センサが設けられている場合、各人感センサのセンサＩＤ情報などであってもよい。
【００３６】
図５に示す本実施形態の決定部５４は、出力内容記憶部５３の出力内容対応テーブル６１ａを用いて、機器識別情報及び個人識別情報に対応付けられた出力内容を決定する。
【００３７】
以上、本実施形態によれば、入力情報を取得した玄関機１ａ，１ｂによって出力内容を変えることができるので、玄関機１ａ，１ｂごとに異なるメッセージを住戸内Ｂの居住者に音声で通知することができる。
【００３８】
（実施形態３）
実施形態３のインターホンシステムは、図７に示すように、出力内容記憶部５３に、時間帯ごとに個人識別情報に出力内容を対応付けた出力内容対応テーブル６１ｂが記憶されている点で、実施形態１のインターホンシステムと相違している。なお、実施形態１と同様の構成要素については、同一の符号を付して説明を省略する。
【００３９】
図１に示す本実施形態の玄関機１には時刻を計時する時計部（図示せず）が設けられている。入力部５０は、入力情報とともに、入力情報を取得した時刻の情報を認証部５２に出力する。入力情報を取得した時刻の情報は、さらに認証部５２から決定部５４に出力される。
【００４０】
本実施形態の決定部５４は、入力情報を取得した時刻の情報及び個人識別情報が入力されると、出力内容記憶部５３の出力内容対応テーブル６１ｂ（図７参照）を用いて、入力情報を取得した時刻が含まれる時間帯及び個人識別情報に対応付けられた出力内容を決定する。
【００４１】
以上、本実施形態によれば、入力情報を取得した時間帯によって出力内容を変えることができるので、時間帯ごとに異なるメッセージを住戸内Ｂの居住者に音声で通知することができる。例えば、来客又は帰宅があった時刻が朝６時から夜２２時までの場合、通常の通知をし、２２時から６時までの場合、簡潔な通知をすることができる。
【００４２】
（実施形態４）
実施形態４のインターホンシステムは、図８に示すように、出力内容記憶部５３に、中間表現ファイルを識別するための識別子に個人識別情報を対応付けた出力内容対応テーブル６１ｃ（図９参照）と、識別子に中間表現ファイルを対応付けたファイルデータベース６２とが記憶されている点で、実施形態１のインターホンシステムと相違している。なお、実施形態１と同様の構成要素については、同一の符号を付して説明を省略する。
本実施形態の中間表現ファイルには、実施形態１の中間表現ファイルと同様の情報が含まれている。
【００４３】
本実施形態の決定部５４は、出力内容記憶部５３の出力内容対応テーブル６１ｃを用いて、認証部５２で特定された個人識別情報に対応付けられた識別子を決定し、さらに、ファイルデータベース６２を用いて、決定した識別子の中間表現ファイルを選択する。
【００４４】
本実施形態の出力部５５は、決定部５４で作成された中間表現ファイルを用いて合成音声波形を作成し、作成した合成音声波形を音声に変換して出力する。
【００４５】
以上、本実施形態によれば、音声合成処理のうちテキストデータの言語解析処理を予め行って中間表現ファイルを作成することによって、認証部５２で個人識別情報を特定した後に、テキストデータの言語解析処理を行う必要がないので、イベント発生時における処理負荷を軽減することができる。
【００４６】
（実施形態５）
実施形態５のインターホンシステムは、出力内容記憶部５３に、合成音声ファイルを識別するための識別子を出力内容として、個人識別情報に識別子を対応付けた出力内容対応テーブル６１ｄ（図１０参照）と、識別子に合成音声ファイルを対応付けたファイルデータベース６２（図８参照）とが記憶されている点で、実施形態１のインターホンシステムと相違している。なお、実施形態１と同様の構成要素については、同一の符号を付して説明を省略する。上記合成音声ファイルとは、合成音声波形の情報をファイル化したものをいう。
【００４７】
本実施形態の決定部５４は、出力内容記憶部５３の出力内容対応テーブル６１ｄを用いて、認証部５２で特定された個人識別情報に対応付けられた識別子を決定し、さらに、ファイルデータベース６２を用いて、決定した識別子の合成音声ファイルを取得する。
【００４８】
本実施形態の出力部５５は、決定部５４で取得された合成音声ファイルを用いて合成音声波形を作成し、作成した合成音声波形を音声に変換して出力する。
【００４９】
以上、本実施形態によれば、音声合成処理を予め行って合成音声ファイルを作成することによって、認証部５２で個人識別情報を特定した後に、音声合成処理を行う必要がないので、イベント発生時における処理負荷を軽減することができる。つまり、処理負荷の大きい音声合成処理をイベント発生時に行うことがないため、イベント発生時に他のアプリケーションへの影響を及ぼすことがなく、逆に音声合成処理が遅れて、適切に音声出力されないという現象の発生を低減することができる。
【００５０】
なお、事前に行われる音声合成処理は、宅内インターホン２で行ってもよいし、センターサーバ４で行ってもよい。宅内インターホン２で行う場合、まず、居住者の名前を宅内インターホン２により入力する。入力情報を用いて宅内インターホン２で音声合成処理が行われる。作成された合成音声ファイルは、宅内インターホン２に保存される。
【００５１】
一方、センターサーバ４で行う場合、まず、居住者の名前を、携帯電話７（図２参照）やパーソナルコンピュータにより入力する。入力情報を用いてセンターサーバ４で音声合成処理が行われる。作成された合成音声ファイルは、宅内インターホン２に保存される。
【００５２】
（実施形態６）
実施形態６のインターホンシステムは、図１１に示すように、識別情報記憶部５１及び認証部５２を有する管理サーバ８を集合住宅Ａ（図２参照）の共有部に備えている点で、実施形態１のインターホンシステムと相違している。なお、本実施形態では、管理サーバ８が、本発明のサーバとなる。実施形態１と同様の構成要素については、同一の符号を付して説明を省略する。
【００５３】
以上、本実施形態によれば、個人識別情報を管理サーバ８で管理することによって、各住戸内Ｂの宅内インターホン２の負担を軽減することができる。また、管理者（管理会社）が個人識別情報を管理サーバ８で一元管理することができるので、個人識別情報を各住戸内Ｂの宅内インターホン２で管理する場合に比べて、個人識別情報の更新や追加などのメンテナンスを管理者が効率よく行うことができる。さらに、個人識別情報を各住戸内Ｂの宅内インターホン２に記憶させる場合に比べて、セキュリティの点で安全である。
【００５４】
また、集合住宅Ａにおいて、入力部５０を玄関機１に設け、認証部５２を集合住宅Ａの共有部に設けることによって、個人識別情報を特定するまでの手段を共有化することができる。
【００５５】
（実施形態７）
実施形態７のインターホンシステムは、図１２に示すように、識別情報記憶部５１の識別情報対応テーブル６０を変更するための第１の変更部５６と、出力内容記憶部５３の出力内容対応テーブル６１を変更するための第２の変更部５７とを備えている点で、実施形態１のインターホンシステムと相違している。なお、実施形態１と同様の構成要素については、同一の符号を付して説明を省略する。
【００５６】
上記第１の変更部５６及び第２の変更部５７としては、例えば宅内インターホン２や携帯電話７（図２参照）、パーソナルコンピュータなどがある。
【００５７】
以上、本実施形態によれば、ユーザが第１の変更部５６や第２の変更部５７を操作することによって、ユーザが個人識別情報や出力内容を自由に変更することができる。例えば新しい居住者の登録や既に登録されている情報の変更や削除を行うことができる。
【００５８】
（実施形態８）
実施形態８のインターホンシステムは、図１３に示すように、合成音声波形を作成する際に用いられる音声合成用データベース６３と、音声合成用データベース６３を更新するための更新部５８とを備えている点で、実施形態１のインターホンシステムと相違している。なお、実施形態１と同様の構成要素については、同一の符号を付して説明を省略する。
【００５９】
上記更新部５８としては、例えば宅内インターホン２や携帯電話７（図２参照）、パーソナルコンピュータなどがある。
【００６０】
以上、本実施形態によれば、更新部５８からの更新によって、ユーザに最新の音声合成用データベース６３を提供することができる。
【００６１】
なお、実施形態１〜５，７，８の変形例として、識別情報記憶部５１及び認証部５２をセンターサーバ４ではなく、宅内インターホン２に備えるものであってもよい。
【図面の簡単な説明】
【００６２】
【図１】実施形態１，３の要部の構成を示すブロック図である。
【図２】実施形態１〜８の構成を示す概略図である。
【図３】実施形態１〜７の識別情報対応テーブルを示す図である。
【図４】実施形態１の出力内容対応テーブルを示す図である。
【図５】実施形態２の要部の構成を示すブロック図である。
【図６】同上の出力内容対応テーブルを示す図である。
【図７】実施形態３の出力内容対応テーブルを示す図である。
【図８】実施形態４の要部の構成を示すブロック図である。
【図９】同上の出力内容対応テーブルを示す図である。
【図１０】実施形態５の出力内容対応テーブルを示す図である。
【図１１】実施形態６の要部の構成を示すブロック図である。
【図１２】実施形態７の要部の構成を示すブロック図である。
【図１３】実施形態８の要部の構成を示すブロック図である。
【符号の説明】
【００６３】
１（１ａ，１ｂ）  玄関機
２  宅内インターホン
４  センターサーバ
５０  入力部
５１  識別情報記憶部
５２  認証部
５３  出力内容記憶部
５４  決定部
５５  出力部
６０  識別情報対応テーブル
６１，６１ａ〜６１ｄ  出力内容対応テーブル
８  管理サーバ
【図１】
2009213086.tif 000003
【図２】
2009213086.tif 000004
【図３】
2009213086.tif 000005
【図４】
2009213086.tif 000006
【図５】
2009213086.tif 000007
【図６】
2009213086.tif 000008
【図７】
2009213086.tif 000009
【図８】
2009213086.tif 000010
【図９】
2009213086.tif 000011
【図１０】
2009213086.tif 000012
【図１１】
2009213086.tif 000013
【図１２】
2009213086.tif 000014
【図１３】
2009213086.tif 000015